(57)【要約】【課題】プレス機自体の複雑化、大型化を回避し得る、３以上のプランジャで支持されたスライドを有するリンクプレス型のプレス機を提供すること。【解決手段】本発明のプレス機（１０）は、フレーム（１２）と、フレームに回転可能に支承されたクランク軸（１４）と、フレーム内に上下動可能に配置されたスライド（１６）と、クランク軸の回転運動を上下方向運動に変換するための運動変換装置（１８）と、上下方向運動をスライドに伝達するためのリンク装置（２０）とを含む。プレス機は、さらに、スライドに結合され上方へ伸びる３以上の一列のプランジャ（４４）と、リンク装置に連結された、プランジャを相互に連結する連結部材（４６）とを含む。【選択図】  図１
2004298952.tif 000002
【特許請求の範囲】
【請求項１】
フレームと、該フレームに回転可能に支承されたクランク軸と、前記フレーム内に上下動可能に配置されたスライドと、前記フレームに支持され前記クランク軸の回転運動を上下方向運動に変換するための運動変換装置と、該運動変換装置に連結され前記上下方向運動を前記スライドに伝達するためのリンク装置とを含むプレス機であって、
さらに、前記スライドに結合され上方へ伸びる３以上の一列のプランジャと、該プランジャを相互に連結する連結部材であって前記リンク装置に連結された連結部材とを含む、プレス機。
【発明の詳細な説明】
【０００１】
【発明の属する技術分野】
本発明は、機械プレス、特に、上下方向運動に変換されたクランク軸の回転運動をスライドに伝達するリンク装置を有するプレス機に関する。
【０００２】
【従来の技術】
従来、機械プレスの１つとして、スライドを３以上のプランジャで支持するプレス機が提案されている。これによれば、前記スライドをその両端で２つのプランジャにより支持する場合と比べ、プレス加工時における前記スライドのたわみをより少なくすることができる（例えば特許文献１参照）。
【０００３】
【特許文献１】
特開平８−１１８０８４号公報（段落０００９及び図１）
【０００４】
【発明が解決しようとする課題】
このプレス機は、いわゆるクランクプレスのタイプに属する。クランクプレス型のプレス機にあっては、クランク軸の回転運動が、前記クランク軸と各プランジャとを相互に連結するコネクティングロッドを介して、上下方向運動に変換され、前記スライドに伝達される。
【０００５】
ところで、機械プレスには、このほか、上下方向運動に変換されたクランク軸の回転運動が、複数のリンクの組み合わせからなるリンク装置を介してスライドに伝達される、いわゆるリンクプレスのタイプに属するプレス機がある。
【０００６】
しかし、リンクプレス型のプレス機については、スライドが３以上の一列に並んだプランジャで支持されたものは提案されていない。これは、プランジャの数を３以上とすると、プランジャに連結されるリンクの増設とその増設空間を必要とし、これに伴ってプレス機自体の複雑化、大型化を招くことによる。
【０００７】
本発明の目的は、プレス機自体の複雑化、大型化を回避し得る、３以上のプランジャで支持されたスライドを有するリンクプレス型のプレス機を提供することにある。
【０００８】
【課題を解決するための手段】
本発明は、フレームと、該フレームに回転可能に支承されたクランク軸と、前記フレーム内に上下動可能に配置されたスライドと、前記フレームに支持され前記クランク軸の回転運動を上下方向運動に変換するための運動変換装置と、該運動変換装置に連結され前記上下方向運動を前記スライドに伝達するためのリンク装置とを含むプレス機であって、該プレス機は、さらに、前記スライドに結合され上方へ伸びる３以上の一列のプランジャと、該プランジャを相互に連結する連結部材であって前記リンク装置に連結された連結部材とを含む。
【０００９】
【発明の作用および効果】
本発明によれば、スライドに結合された３以上の一列のプランジャを連結部材で相互に連結し、該連結部材を前記リンク装置に連結したことから、実質的に、リンクの増設を必要とせず、このためにリンクの増設に伴うプレス機の複雑化及び大型化が回避される。
【００１０】
３以上のプランジャを一列に配置することにより、スライドを２つのプランジャで支持する場合と比べて、前記クランクプレス型のプレス機におけると同様、プレス加工時において負荷を受ける前記スライドに発生するたわみの量を小さいものとすることができる。
【００１１】
【発明の実施の形態】
図１を参照すると、本発明に係るリンクプレス型のプレス機が全体に符号１０で示されている。
【００１２】
プレス機１０は、フレーム１２と、クランク軸１４と、スライド１６と、運動変換装置１８と、リンク装置２０とを備える。
【００１３】
図示のフレーム１２は、下部フレーム２２及び上部フレーム２４からなる。下部フレーム２２には、下型及び上型からなるプレス型（図示せず）の前記下型が載置される。前記スライドは、下部フレーム２２内に上下動可能に配置されている。スライド１６には前記プレス型の上型が取り付けられる。
【００１４】
クランク軸１４は、上部フレーム２４の比較的上方の位置に配置され、かつ上部フレーム２４に回転可能に支承されている。クランク軸１４は紙背方向へ水平に伸びている。
【００１５】
運動変換装置１８は、これにより上部フレーム２４に支持されたコネクティングロッド２８、より詳細にはクランク軸１４の偏心部２６に該偏心部の周りに回転可能に連結されたコネクティングロッド２８を含む。図示の例では、コネクティングロッド２８は、その上端部において、クランク軸１４に連結されている。
【００１６】
したがって、コネクティングロッド２８は、クランク軸１４が回転運動をするとき、クランク軸の偏心部２６の回転運動を許し、自身は上下方向への往復運動をする。
【００１７】
運動変換装置１８は、さらに、スライダ３０と、上部フレーム２４に設けられた、スライダ３０のための一対の案内部材３２とを含む。
【００１８】
スライダ３０は全体にブロック状を呈する。スライダ３０はコネクティングロッド２８の下端部に、クランク軸１４と平行な軸部材３４を介して取り付けられている。したがって、スライダ３０はコネクティングロッド２８と共に上下動可能であり、また、コネクティングロッド２８に対して軸部材３４の周りに回転可能である。
【００１９】
両案内部材３２はクランク軸１４の直下にあって、これらの間にスライダ３０を上下動可能に受け入れ、かつスライダ３０に対してこれが滑動可能に接する。したがって、コネクティングロッド２８は、両案内部材３２によるスライダ３０の案内作用の下、クランク軸１４及びスライダ３０の双方に対して揺動する間にクランク軸１４の回転運動を上下方向運動に変換する。図示の案内部材３２は、上部フレーム２４の一部からなる。
【００２０】
リンク装置２０は、後述するように、コネクティングロッド２８の上下方向運動をスライド１６に伝達する作用をなす。
【００２１】
リンク装置２０は、一対の軸部材３６を介して、上部フレーム２４に支持されている。両軸部材３６は、それぞれ、偏心部３７を有する。両軸部材３６は、それぞれ、クランク軸１４より下方の位置に互いに間隔をおいて配置されかつ上部フレーム２４に支持され、クランク軸１４と平行に伸びている。図示の例では、両偏心軸３６は、スライダ３０のほぼ両側に該スライダから間隔をおいて配置されている。
【００２２】
リンク装置２０は、一対の揺動リンク３８と、各揺動リンク３８に連結された一対の連結リンク４０とからなる。
【００２３】
各揺動リンク３８はその一端部（図１で見て左端部）で各偏心軸３６の偏心部３７に連結され、また、その他端部（同右端部）でコネクティングロッド１８の下端部を貫通する軸部材３４に連結されている。揺動リンク３８の両端部は、それぞれ、偏心部３７及び軸部材３４の周りに回転可能である。
【００２４】
また、各対の連結リンク４０は互いに相対するように配置されている。各対の連結リンク４０は、これらの一端部（図１で見て上端部）で各揺動リンク３８に連結されている。より詳細には、各対の連結リンク４０の一端部は、各揺動リンク３８の長手方向におけるほぼ中間部を挟んでおり、両連結リンク４０の一端部及び揺動リンク３８の前記中間部を貫通する軸部材４２を介して連結され、両連結リンク４０は揺動リンク３８に対して軸部材４２の周りに回転可能である。
【００２５】
本発明にあっては、図１及び図２に示すように、スライド１６が、３つのプランジャ４４と、これらのプランジャ４４を相互に連結する一対の連結部材４６とを介して、リンク装置２０の連結リンク４０に支持されている。
【００２６】
スライド１６は全体に細長い（図上において左右方向に細長い）矩形の平面形状を有する。３つのプランジャ４４は一列に、すなわちスライド１６の長手方向へ伸びる一直線上に等間隔に配置されている。
【００２７】
スライド１６を３つのプランジャ４４で支持することにより、スライド１６を２つのプランジャで支持する場合に比べて、スライド１６がプレス加工の際に負荷を受けて撓む量を低減することができる。
【００２８】
各プランジャ４４はスライド１６上に配置され上方へ伸びている。各プランジャ４４はスライド１６に結合または固定された下端部と、各連結部材４６に連結された上端部とを有する。
【００２９】
両連結部材４６は各プランジャ４４の上端部を挟んで互いに相対するように配置され、各プランジャ４４と両連結部材４６とを軸部材４８が貫通している。
【００３０】
リンク装置の各対の連結リンク４０の下端部が、列の最外方にそれぞれ位置する両プランジャ４４を貫通する両軸部材４８に連結されている。これにより、各対の連結リンク４０は各軸部材４８の周りに回転可能である。
【００３１】
したがって、クランク軸１４の回転運動が運動変換装置１８によって上下方向運動に変換されるとき、この上下方向運動は、この運動を受けて軸部材３４、３６の周りに揺動する揺動リンク３８と、軸部材４２，４８の周りに揺動する連結リンク４０とを介して、さらに、連結部材４６及び各プランジャ４４を経て、スライド１６に伝達され、スライド１６は上下方向運動を行う。
【００３２】
図３に示すように、２対の連結リンク４０の下端部は、一列中央のプランジャ４４と、一列最外方の各プランジャ４４との間において、両連結部材４６に連結してもよい。各対の連結リンク４０の下端部と、両連結部材４６とはこれらを貫通する軸部材５０を介して相互に連結されており、連結リンク４０は軸部材５０の周りに回転可能である。
【００３３】
連結リンク４０は、その数量を２対とする図示の例に代えて１対とすることができる。プランジャ４４相互の連結部材４６は、図示の例のように、板部材からなるものとすることができる。連結部材４６は、その数量を２とする図示の例に代えて単一とすることができる。また、プランジャ４４の数量は、スライド１６の大きさ、長さ等を考慮に入れて、４以上とすることができる。なお、プランジャ４４相互間は、不等間隔とすることも可能であるが、図示の例のように、等間隔とすることが望ましい。
【図面の簡単な説明】
【図１】本発明に係るプレス機の部分縦断面図である。
【図２】図１の線２−２に沿って得て横断面図である。
【図３】本発明の他の例に係るプレス機の部分縦断面図である。
【符号の説明】
１０  プレス機
１２  フレーム
１４  クランク軸
１６  スライド
１８  運動変換装置
２０  リンク装置
４４  プランジャ
４６  連結部材
【図１】
2004298952.tif 000003
【図２】
2004298952.tif 000004
【図３】
2004298952.tif 000005